Podtech/llm-jp-corpus-v4-ja_patent huggingface dataset:
(57)【要約】【課題】シールド機の先端がトンネル口のシール部材の位置に到達する間に、トンネル内で発生した土砂や水等の流出物が立坑内へ流入するのを防止することである。【解決手段】立坑１内のシールドトンネル口に設けられた筒部材４の外側に、トンネル口から抜き出されるシールド機２を収容できる大きさで周囲を覆った取り外し可能なチャンバ５を接続することにより、シールド機２の先端が筒部材４に取り付けられたゴムパッキン６の位置に到達する間にトンネル口から流出する土砂や水等の流出物をチャンバ５内に溜めて、これらが立坑１内へ流入するのを防止した。【選択図】  図１
2004183358.tif 000002
【特許請求の範囲】
【請求項１】
立坑内のシールド機が抜き出されるトンネル口の外側に接続して、抜き出されるシールド機を収納できる大きさで周囲を覆ったチャンバを取り外し可能に設け、前記シールド機の抜き出し時にトンネル口から流出する流出物をチャンバ内に溜めるようにしたシールドトンネル口用止水室。
【請求項２】
前記チャンバを上下に分割されるものとした請求項１に記載のシールドトンネル口用止水室。
【請求項３】
前記チャンバの底部に、前記流出物を排出する排出口を設けた請求項１または２に記載のシールドトンネル口用止水室。
【発明の詳細な説明】
【０００１】
【発明の属する技術分野】
この発明は、シールド機をトンネル口から引き抜く際に、土砂や水等の流出物がトンネル口から立坑内へ流入するのを防止するシールドトンネル口用止水室に関するものである。
【０００２】
【従来の技術】
シールド工法においてシールド機をトンネル口から立坑へ引き抜く際には、トンネル内で発生した土砂や水等の流出物が立坑内へ流入するを防止するために、トンネル口の外側に筒部材を設け、この筒部材の内周にシールド機の外周との隙間をシールするゴムパッキン等のシール部材を取り付けている。
【０００３】
しかしながら、前記筒部材に取り付けられるシール部材と、シールド機の引き抜き時に開口されるトンネルとの仕切り用鏡部との間には少し距離があるので、シールド機の先端がシール部材の位置に到達する間に、トンネル内で発生した流出物が立坑内へ流入し、立坑内での作業に支障を来す問題がある。
【０００４】
【発明が解決しようとする課題】
そこで、この発明の課題は、シールド機の先端がトンネル口のシール部材の位置に到達する間に、トンネル内で発生した土砂や水等の流出物が立坑内へ流入するのを防止することである。
【０００５】
【課題を解決するための手段】
上記の課題を解決するために、この発明のシールドトンネル口用止水室は、立坑内のシールド機が抜き出されるトンネル口の外側に接続して、抜き出されるシールド機を収納できる大きさで周囲を覆ったチャンバを取り外し可能に設け、前記シールド機の抜き出し時にトンネル口から流出する流出物をチャンバ内に溜める構成を採用した。
【０００６】
すなわち、立坑内のシールドトンネル口の外側に、トンネル口から抜き出されるシールド機を収容できる大きさで周囲を覆った取り外し可能なチャンバを接続することにより、シールド機の先端がシール部材の位置に到達する間にトンネル口から流出する土砂や水等の流出物をチャンバ内に溜めて、これらが立坑内へ流入しないようにした。
【０００７】
前記チャンバを上下に分割されるものとすることにより、分割された上部を取り外して、チャンバ内に抜き出されるシールド機を容易に地上へ搬出することができる。
【０００８】
前記チャンバの底部に、前記流出物を排出する排出口を設けることにより、チャンバ内に溜まった流出物を底部の排出口からバケット等に容易に排出することができる。
【０００９】
【発明の実施の形態】
以下、図面に基づき、この発明の実施形態を説明する。このシールドトンネル口用止水室は、図１および図２に示すように、立坑１内へのシールド機２の引き抜き時に開口される矢板３の鏡部３ａの外側でトンネル口に溶接された筒部材４に、シールド機２を収納できる大きさで周囲を覆ったチャンバ５をボルト締めで接続したものである。
【００１０】
前記筒部材４の内周面には、図１（ａ）に示すように、シールド機２が引き抜かれるときに、その外周との隙間をシールするゴムパッキン６が取り付けられている。このゴムパッキン６は、その取り付け位置が鏡部３ａの開口と少し距離が離れているので、図中に一点鎖線で示すように、シールド機２の先端がゴムパッキン６の取り付け位置に到達するまでの間はシール機能がなく、シールド機２と鏡部３ａの隙間から、トンネル内で発生した土砂や水等の流出物が、筒部材４を通ってチャンバ５内に流入する。図１（ｂ）に示すように、シールド機２がチャンバ５内に抜き出された後は、ゴムパッキン６は背面側に巻き付けられたワイヤ７により、後続のセグメント８の外周に締め付けられ、トンネル内とチャンバ５との間が止水される。
【００１１】
前記チャンバ５は、上部部材５ａと下部部材５ｂとに分割されて、ボルト締めで上下に連結されている。下部部材５ｂの底部には、スライド蓋９で開閉される排出口１０が設けられており、チャンバ５の底に溜まった土砂や水等の流出物がバケット等に排出されるようになっている。また、上部部材５ａの前端面には、内部点検用ののぞき窓１１が設けられたハッチ１２が取り付けられている。
【００１２】
前記流出物が排出口１０から排出された後、上部部材５ａが取り外され、チャンバ５内に抜き出されたシールド機２が後続のセグメント８と切り離されて、クレーン等により地上に搬出される。シールド機２が搬出された後、下部部材５ｂも取り外されて撤去される。
【００１３】
上述した実施形態では、ゴムパッキンを取り付けた筒部材を溶接したトンネル口の外側に止水用のチャンバを接続したが、トンネル口の構造は実施形態のものに限定されることはなく、鏡部の外側にシール部材を設けた構造であればよい。
【００１４】
【発明の効果】
以上のように、この発明のシールドトンネル口用止水室は、立坑内のシールドトンネル口の外側に、トンネル口から抜き出されるシールド機を収容できる大きさで周囲を覆った取り外し可能なチャンバを接続することにより、シールド機の先端がトンネル口のシール部材の位置に到達する間にトンネル口から流出する土砂や水等の流出物をチャンバ内に溜めるようにしたので、これらの流出物が立坑内へ流入して作業に支障を来すのを防止することができる。
【図面の簡単な説明】
【図１】ａ、ｂは、それぞれ本発明に係るシールドトンネル口用止水室を設けたトンネル口を示す縦断面図
【図２】図１の側面図
【符号の説明】
１  立坑
２  シールド機
３  矢板
３ａ  鏡部
４  筒部材
５  チャンバ
５ａ  上部部材
５ｂ  下部部材
６  ゴムパッキン
７  ワイヤ
８  セグメント
９  スライド蓋
１０  排出口
１１  のぞき窓
１２  ハッチ
【図１】
2004183358.tif 000003
【図２】
2004183358.tif 000004
(57)【要約】【課題】吸盤の吸着力を高める方法や、取外しの際には、従来さまざまな操作が必要であった。その手順を吸着面への押圧力だけで真空力を増幅させ、強い吸着力が得られ、吸盤取外しの際には、指で掛け止部材を押すだけで吸着力が解除されるようにした、押圧だけで強吸着力発生吸盤を提供する。【解決手段】柔軟性伸縮素材の吸着盤▲１▼の内側中央部に固い素材の吸着盤押上げ棒▲２▼を設け、吸着盤押圧時に押圧方向と逆方向に吸着盤押上げ棒▲２▼により押上げられた吸着盤▲１▼中央部を掛け止固定させるために固い素材の掛け止棒▲３▼を吸着盤▲１▼外側中央部に埋設させ、押圧盤▲４▼上部に掛け止筒▲５▼及び、掛け止部材▲６▼を設ける。又、押圧盤▲４▼及び、掛け止筒▲５▼に適宜フック、横架棒及びアクセサリー等を取り付けられる形状にして、取り付けて使用する。以上の構成を特徴とする。【選択図】    図１
2004183879.tif 000002
【特許請求の範囲】
【請求項１】
吸着盤▲１▼の内側中央部に吸着盤押上げ棒▲２▼を設け、吸着盤▲１▼外側中央部に掛け止棒▲３▼を埋設させ、押圧盤▲４▼上部に掛け止筒▲５▼及び、掛け止部材▲６▼を設けた、押圧だけで強吸着力発生吸盤。
【発明の詳細な説明】
【０００１】
【発明の属する技術分野】
本発明は、吸着面に押圧するだけで、吸着盤の真空空間を増幅して簡単に吸着力を増大させ、吸盤の取外し時には、掛け止部材を指で押すだけで吸着力を解除させて取外し可能とした、押圧だけで強吸着力発生吸盤に関するものである。
【０００２】
【従来の技術】
従来、吸盤の真空力を増幅して、強い吸着力を得るための方法は、吸着面に押圧させた後に、なんらかの操作手順が必要であり、取外す際にも吸着時と同様の操作手順が必要であり、比較的に手間がかかるものであった。
【０００３】
【発明が解決しようとする課題】
従来、吸盤の真空力を増幅して、強い吸着力を得るための方法は、さまざまな操作手順が必要であり、取外す際にも吸着時と同様の手順が必要であった。
これは、比較的手間がかかる操作であった。
本発明は、以上のような欠点を失くすためになされたものである。
【０００４】
【課題を解決するための手段】
吸着盤▲１▼の内側中央部に吸着盤押上げ棒▲２▼を設け、吸着盤▲１▼外側中央部に掛け止棒▲３▼を埋設させ、押圧盤▲４▼上部に掛け止筒▲５▼及び、掛け止部材▲６▼を設ける。
本発明は、以上の構成よりなる、押圧だけで強吸着力発生吸盤である。
【０００５】
【発明の実施の形態】
柔軟伸縮性素材の吸着盤▲１▼内側中央部に固い素材の吸着盤押上げ棒▲２▼を設け、吸盤押圧時に押圧方向と逆方向に吸着盤押上げ棒▲２▼により押上げられた吸着盤▲１▼中央部を掛け止固定させるために固い素材の掛け止棒▲３▼を吸着盤▲１▼外側中央部に埋設させ、押圧盤▲４▼上部に掛け止筒▲５▼及び、掛け止部材▲６▼を設ける。以上の構成により吸盤を吸着面に押圧するだけで真空力を増幅させ、強い吸着力が得られ、又、吸盤を取外す際には、掛け止部材▲６▼を指で押すだけで吸着力が解除される。
押圧盤▲４▼及び、掛け止筒▲５▼を適宜の形状にして、フック、横架棒及び、アクセサリー等を取り付ける形状として使用する。
【０００６】
【発明の効果】
本発明は、以上のような構成だから、吸着面に押圧するだけで真空力が増幅され、強い吸着力が得られる。又、取外しの際には、指で掛け止部材を押すだけで吸着力が解除されるので、非常に使い勝手が良い。又、吸着力が強いので、さまざまな用途に使用できる。
【図面の簡単な説明】
【図１】本発明の断面図
【符号の説明】
▲１▼吸着盤
▲２▼吸着盤押上げ棒
▲３▼掛け止棒
▲４▼押圧盤
▲５▼掛け止筒
▲６▼掛け止部材
▲７▼バネ
【図１】
2004183879.tif 000003
(57)【要約】【課題】水圧と大気圧の圧力差によって変形するダイアフラムと、前記ダイヤフラムと連接されて動く弁棒と、弁棒ガイド部と、弁棒に取付けられた通水路を開閉する弁を備える減圧弁において、緑青や脱亜鉛の発生を防止し、異物噛み込みによる弁棒固着を防止し減圧不良を生じない製品を安価に供給することにある。【解決手段】水圧と大気圧の圧力差によって変形するダイアフラムと、前記ダイヤフラムと連接されて上下に動く弁棒と、弁棒ガイド部と、弁棒に取付けられた通水路を開閉する弁を備える減圧弁において、弁棒ガイド部に樹脂を用いた。【選択図】  図２
2004183847.tif 000002
【特許請求の範囲】
【請求項１】
水圧と大気圧の圧力差によって変形するダイアフラムと、前記ダイヤフラムと連接されて上下に動く弁棒と、弁棒ガイド部と、弁棒に取付けられた通水路を開閉する弁を備える減圧弁において、弁棒ガイド部に樹脂を用いたことを特徴とする減圧弁。
【請求項２】
減圧弁ボディと弁棒ガイド部の固定をねじで締結する構造としたことを特徴とする請求項１に記載の減圧弁。
【請求項３】
減圧弁ボディと弁棒ガイド部の固定をはめ殺し構造としたことを特徴とする請求項１に記載の減圧弁。
【発明の詳細な説明】
【０００１】
【発明の属する技術分野】
本発明は、水圧と大気圧の圧力差によって変形するダイアフラムと、前記ダイヤフラムと連接されて動く弁棒と、弁棒ガイド部と、弁棒に取付けられた通水路を開閉する弁を備える減圧弁に関するものである。
【０００２】
【従来の技術】
従来、減圧弁ボディと弁棒ガイド部が一体で黄銅材を使用した減圧弁があった（例えば特許文献１参照。）。
【０００３】
【特許文献】特開平１１−３１５９４５号公報
【０００４】
【発明が解決しようとする課題】
しかし、従来の減圧弁のボディおよび弁棒ガイド部は水質によって緑青を発生したり、脱亜鉛を発生したりし、その際に生成する異物が弁棒と弁棒ガイド部の間に噛み込み、弁棒を固着させ減圧不良を発生させることがあった。
従って、本発明の目的は、弁棒ガイド部のみボディの材質とは異なる樹脂にすることで緑青や脱亜鉛の発生を防止し、異物噛み込みによる弁棒固着を防止し減圧不良を生じない製品を安価に供給することにある。
【０００５】
【課題を解決するための手段及びその作用・効果】
上記目的を達成するために請求項１は、水圧と大気圧の圧力差によって変形するダイアフラムと、前記ダイヤフラムと連接されて上下に動く弁棒と、弁棒ガイド部と、弁棒に取付けられた通水路を開閉する弁を備える減圧弁において、弁棒ガイド部に樹脂を用いたので、緑青や脱亜鉛の発生を防止し、異物噛み込みによる弁棒固着を防止し減圧不良を生じない製品を安価に供給することができる。
【０００６】
請求項２は、請求項１に記載の減圧弁の減圧弁ボディと弁棒ガイド部の固定をねじで締結する構造としたので精度よくしっかりと固定できる。
【０００７】
請求項３は、請求項１に記載減圧弁の減圧弁ボディと弁棒ガイド部の固定をはめ殺し構造としたので簡単に固定できる。
【０００８】
【発明の実施の形態】
以下、本発明の実施の形態を、図面により詳細に説明する。
図１は、本発明の一実施形態に係わる従来の減圧弁の断面図である。
上記減圧弁は図示のように、水は黄銅材で作られた減圧弁ボディに設けられた入水口１より給水しフィルター２を通り、逆止弁ばね４の作用で通常閉となっている逆止弁３を水圧で押し開いて通過し、次に調節ばね８の作用で通常閉となっている弁体パッキン５を水圧で押し開いて通過し、黄銅材で作られた減圧弁ボディに設けられた出水口１０より出水する。弁体パッキン５以降の水圧は弁体パッキン５と弁体パッキン５に連接された弁棒６と弁棒６に連接されたダイヤフラム７がそれぞれ連接して動作することにより調節され、あらかじめ設定された圧力となる。弁棒ガイド９は黄銅材でつくられた減圧弁ボディの一部となっているため、水質によっては緑青や脱亜鉛を生じ、その際に生成する異物が弁棒６と弁棒ガイド９の間に噛み込み、弁棒６が固着し減圧不良を生じることがあった。
【０００９】
図２は本発明の一実施形態に係わる請求項１および請求項２に記載の弁棒ガイド部の拡大図である。
弁棒ガイド１２の材質は樹脂であり、緑青や脱亜鉛を生じることはなく、異物を生成しないため弁棒６が固着することがないことから水質による減圧不良を生じることがない。
さらに弁棒ガイド１２は外周にオスねじを備え、減圧弁ボディ１１は内径にメスねじを備えており、互いのねじで締結する構造となっている。従って、精度よくしっかりと締結することができる。また、弁棒ガイド１２のみ樹脂にすることにより、減圧弁ボディ１１全体を樹脂にすることにくらべ安価に供給することが可能である。
【００１０】
図３は本発明の一実施形態に係わる請求項１および請求項３に記載の弁棒ガイド部の拡大図である。
弁棒ガイド１２の材質は樹脂であり、緑青や脱亜鉛を生じることはなく、異物を生成しないため弁棒６が固着することがないことから水質による減圧不良を生じることがない。
さらに弁棒ガイド１２は一端に外周側に張り出した引っ掛け構造を２箇所以上備え、減圧弁ボディ１１に挿入した際に引っ掛かり、抜けないはめ殺し構造となっている。従って、簡単に固定することができる。また、弁棒ガイド１２のみ樹脂にすることにより、減圧弁ボディ１１全体を樹脂にすることにくらべ安価に供給することが可能である。
【図面の簡単な説明】
【図１】本発明の一実施形態に係わる請求項１に記載の従来の減圧弁の断面図
【図２】本発明の一実施形態に係わる請求項１および請求項２に記載の弁棒ガイド部の拡大図
【図３】本発明の一実施形態に係わる請求項１および請求項３に記載の弁棒ガイド部の拡大図
【符号の説明】
６・・・弁棒
１１・・・弁棒ガイド
１２・・・逆止弁ボディ
【図１】
2004183847.tif 000003
【図２】
2004183847.tif 000004
【図３】
2004183847.tif 000005
(57)【要約】【課題】この発明は、主に一般家庭の室内で使用される扇風機を使用中に指などをファンに巻き込まれないようにする為の扇風機用安全ネットを提供する。【解決手段】円形で、抗菌剤を練りこんで設けた不織布等の通気性のある繊維からなるほこり吸着部（１）と、ドーナツ形をした網状の安全ネット部（２）を縫製部分（３）で縫いつけ、安全ネット部（２）の中心部にゴムひもを縫いつけ脱着部（４）を設けたことを特徴とするほこり取り付き扇風機用安全ネット。【選択図】    図２
2004183642.tif 000002
【特許請求の範囲】
【請求項１】
円形で、抗菌剤を練りこんで設けた不織布等の通気性のある繊維からなるほこり吸着部（１）と、ドーナツ形をした網状の安全ネット部（２）を縫製部分（３）で縫いつけ、安全ネット部（２）の中心部にゴムひもを縫いつけ脱着部（４）を設けたことを特徴とするほこり取り付き扇風機用安全ネット。
【発明の詳細な説明】
【０００１】
【発明の属する技術分野】
この発明は、主に一般家庭の室内で使用される扇風機を使用中に指などをファンに巻き込まれないようにする為の扇風機用安全ネットに関するものである。
【０００２】
【従来の技術】
従来、扇風機使用時に乳幼児などが扇風機のファンに指などを巻き込まれないようにする為のものとしては、扇風機本体についているガードのほかに別売り商品として安全ネットがあった。
【０００３】
【発明が解決しようとする課題】
しかしながらこれらには、乳幼児などが指を巻き込まれないようにとの初期の目的は達成できてはいるものの、扇風機のファンや扇風機カバーなどに塵やほこりが付着することは避けられなかった。すなわち扇風機は強い風を送り出すには後方の空気を吸引する必要がありその空気の中には部屋の中に存在する塵やほこりをも吸引していることになり、その風に当たることは体に良くないことは自明の理である。特に乳幼児や病人にとっては好ましいものではなかった。そのようなことを解決するために後方の空気を吸引しない扇風機（特許文献１参照）なども考案されてはいるものの強い風が出難いなどの問題点があり根本的な解決に至っていないのが現状である。本発明はこれらの問題点を解消するために発明されたものである。
【０００４】
【特許文献１】
登録番号：登録実用新案第３０４１８９３号  登録日：１９９７年７月１６日実用新案権者：株式会社コジマ    考案者：小島  勝平    考案の名称：扇風機
【０００５】
【課題を解決するための手段】
円形で、抗菌剤を練りこんで設けた不織布等の通気性のある繊維からなるほこり吸着部（１）と、ドーナツ形をした網状の安全ネット部（２）を縫製部分（３）で縫いつけ、安全ネット部（２）の中心部にゴムひもを縫いつけ脱着部（４）を設ける。
以上の構成からなるほこり取り付き扇風機用安全ネットである。
【０００６】
【発明の実施の形態】
発明の実施の形態について図面を参考にして説明する。
図２のように、ドーナツの形をして抗菌剤を練りこんでなる不織布等の通気性のある繊維からなるほこり吸着部（２）の内周部分にゴムひもを縫い付けて脱着部（４）を設ける。図１のように、扇風機の大きさに合わせて円形に設けた網状の安全ネット部（１）と、ほこり吸着部（２）を外周の縫製部分（３）で縫い付ける。本発明は以上の構成からなり、これを使用するときは表裏を返して安全ネット部（１）を扇風機の前ガード部分（５）に合わせる。必然的にほこり吸着部（２）は扇風機の後ろガード部分（６）に合うようになる。この状態で扇風機を使用すれば前ガード部分（５）に網状の安全ネット部（１）により乳幼児などが指をファン（７）に挟まれる恐れはない。また後ろガード部分（６）には、ほこり吸着部（２）が来る事により部屋中の塵やほこりがこの部分にしっかりと吸着されることになり、塵やほこりが風と共に巻き散らかされることはなくなる。その上ほこり吸着部（２）に練りこまれた抗菌剤により空気中に存在する雑菌も死滅させる。
【０００７】
扇風機の大きさに合わせてほこり取り付き扇風機用安全ネットの大きさは自由に製造が可能である。また塵やほこりが付着したほこり取り付き扇風機用安全ネットは水洗いで容易に取り除く事が出来る。
【０００８】
【発明の効果】
本発明を使用することにより、扇風機使用時に乳幼児などが指を巻き込まれるのを防ぐと同時に部屋の中の塵やほこりや雑菌までもが、扇風機を通過することによりフィルターの役割を果たすことになり空気の清浄化に貢献することになり、乳幼児や病人のいる家庭はもちろんその他一般家庭でも夏季の必需品になることは間違いないものと思われる。
【図面の簡単な説明】
【図１】本発明の安全ネット部の正面図
【図２】本発明のほこり吸着部の正面図
【図３】一般的な扇風機の斜視図
【符号の説明】
（１）      安全ネット部
（２）      ほこり吸着部
（３）      縫製部分
（４）      脱着部
（５）      前ガード部分
（６）      後ろガード部分
（７）      ファン
【図１】
2004183642.tif 000003
【図２】
2004183642.tif 000004
【図３】
2004183642.tif 000005
(57)【要約】      （修正有）【課題】従来のマフラーカッターの味気なさ見栄えの悪さの改良し、テールパイプに装着することで、自動車後面のファッション性の向上とサウンドを生成し、遊び心を増幅させること。【解決手段】マフラーカッター１０にブラケット６を取り付け、そのブラケットにタービン１とベアリング２とタービン取付ボルト４を一体にし、その一体にしたボルト４にスペーサー３を通してナット５で締め付け、特徴をかもしだしている。【選択図】      図１
2004183641.tif 000002
【特許請求の範囲】
【請求項１】
自動車のマフラーカッターの中に飛行機のジェットエンジンのタービンと同じ形状のタービンを取り付け、排気ガスの排出力でタービンが回転するようにしてジェットエンジンを連想させるマフラーカッター（ジェットカッター）。
【請求項２】
このジェットカッターのタービンの形状を変えることによって色々な音が楽しめるジェットカッター。
【請求項３】
このジェットカッターのタービンを扇風機のファンの形をした物を取り付けた時はターボカッターと命名し自動車に取り付けてあるターボを連想させるマフラーカッター（ターボカッター）。
【発明の詳細な説明】
【０００１】
【産業上の利用分野】
本発明は自動車の部品で排気装置に関するものである。
【０００２】
【従来の技術】
従来のマフラーカッターの形状は図１の８〜１２に示すようにパイプをぶつ切りにし、表面を鍍金にしたもので味気ないし見栄えがしないものであった。
【０００３】
【発明が解決しようとする課題】
しかしながら従来のマフラーカッターはテールパイプに取り付けてもさほど変わり映えがしなかったが、本発明はこのような従来の問題点について着目してなされたもので、このジェットカッターを取り付けることによって格好の良さ（ファッション性）とジェットエンジンを連想させるタービンが回るので、動く物は人目につきイメージアップすることと、色々な排気音を騒音にならない程度で楽しむ事を目的とする。
【０００４】
【課題を解決する為の手段】
前記目的を達成する為のジェットカッターは自動車のマフラーカッターの中に飛行機のジェットエンジンのタービンと同じ形状のタービンを取り付けて排気ガスの排出力でタービンが回転するようにしてジェットエンジンを連想させるものと、タービンの形状を色々な形に変えることによって、色々な音を楽しむ事とファッションを楽しむ事を特徴とするものである。
【０００５】
【発明の実施の形態】
この発明の実施形態を図１示す。
テールパイプの開口部（図１の１３）に従来のマフラーカッター（図１の８〜１２）を取り付けするのですが、その従来のマフラーカッター（１０）にブラケット（６）をビス（７）でマフラーカッター（１０）に取り付け、そのブラケットにタービン（１）を取り付ける。取り付け方法はタービン（１）の中にベアリング（２）を挿入し、そのベアリングのインナーレースにボルト（４）を通しブラケットとタービンが接触しないようにスペンサー（３）を入れて、ナット（５）で締め付けたものです。また、音を出す為にはタービン（図１の１）の形状を変えたり穴を開けたりして色々な音を出します。
【０００６】
【発明の効果】
自動車の後面はランプ類が点滅するだけで殺風景ですが、ジェットカッターを取り付けるとタービンの回転する動きがあるので人目につくし、飛行機のジェットエンジンを連想しファッション性に富んだものです。
タービンを変えることによって色々な音が楽しめます。また、このジェットカッターのタービンを扇風機のファンと同じ形状の物を付けた時は自動車エンジンのターボを連想し、車のおもちゃ感覚で面白い商品になります。
【図面の簡単な説明】
【図１】本発明に係わる取り付け例の断面図である。
【図２】本発明に係わる取り付け例の斜視図で一部透視図である。
【記号の説明】
１…タービン  ２…ベアリング  ３…スペーサー  ４…タービン取付ボルト  ５…ナット  ６…ブラケット  ７…ブラケット取付ビス  ８…テールパイプへ取り付ける為のブラケット  ９…テールパイプへ取り付ける為のアジャストボルト  １０…マフラーカッター  １１…ロックナット  １２…ボルト９のメスネジ  １３…テールパイプ
【図１】
2004183641.tif 000003
【図２】
2004183641.tif 000004
(57)【要約】【目的】夜間、自転車に乗り夜間照明を点燈するための電気エネルギーを、できるだけ自転車の搭乗者にとって負担にならないように発電してその発電した電気を利用するシステムを確立することを目的としている。【構成】人が自転車８に乗って速度１で走るとその速度１と同じ速度の風２が自転車８にかかる。この自転車８にかかる風２によって自転車８に取り付けられた風車４が回転３を起こしてこの風車４に取り付けられた発電機５を動かして電気を発電する。この発電機５によって発電された電気を充電器６に蓄えて必要に応じて照明７を点燈する。【選択図】  図２
2004183636.tif 000002
【特許請求の範囲】
【請求項１】
自転車が走行する時に発生する風を利用して発電機を動かして電気を発生させることを特徴としたシステム。
【発明の詳細な説明】
【０００１】
現在、自転車に乗る時の夜間照明としては大きく分けて２つの方法が使われている。１つは乾電池を利用した夜間照明で、この方式の長所は夜間照明のスイッチをオンにしても自転車の走行に余計な負荷がかからず夜間照明のスイッチがオフの時と同じように快適に走行できる。ただ大きな短所としては、乾電池の寿命が短いことと、しばらくの間使用しないと放電を起こしてしまい必要な時に使用できないといった欠点がある。２つ目の方法は、今一番利用されているが、発電機を取り付けていて、夜間照明のスイッチをオンにすると発電機に取り付けられた歯車が自転車のタイヤに接触をして、タイヤの回転エネルギーを発電機に取り込んで電気を起こしてその電気を照明として利用している。この方式の長所は、発電機を取付けているので走行中いつでも点燈できることである。ただ大きな短所としては、夜間照明のスイッチをオンにすると自転車に接触した歯車によって発電機を動かすための負荷が自転車のタイヤに掛り、自転車の搭乗者にとって自転車のペタルをこぐのに余計なエネルギーを必要とする。
【０００２】
夜、町を歩くと無燈で走っている自転車の多い事に驚かされる。法律では夜間の走行中は点燈を義務付けているはずであるが、上記の理由によって無燈で走る自転車が多く、その為の事故も後を絶たない。
【０００３】
この度の発明は、自転車が走る時に発生する風を利用して発電機を動かして電気を発電して、その電気を利用して、夜間、自転車の夜間照明を点燈しても搭乗者に余計な負荷がかからず、且つ、いつでも夜間照明を点燈できるように考えられたシステムである。
【０００４】
風を利用して発電機を動かして電気を発生させる原理は現在風力発電として利用されている。人が自転車に乗って道路を走る時の平均時速を１０ｋｍとすると秒速約２．７ｍとなる。この時、自転車は秒速約２．７ｍの風を受けていることになる。この風を利用して発電機を動かして、この発電機によって発生した電気を充電器に充電して、この充電器に蓄えられた電気を自転車の夜間照明などに利用しようと言うものである。
【０００５】
このシステムは、人が自転車に乗り道路を走るとき必ず発生する風を利用して電気を発生させる方式なので、自転車に乗る人にとって夜間照明を点燈するための余計なエネルギーをほとんど必要としないだけでなく、蓄電器に充電された電気エネルギーをいつでも取り出すことが出来る。このことにより、電池が切れていたり、夜間照明を点燈すると自転車が必要以上に重くなるので点燈をしないということが無くなり、自転車と車や人との事故が減少する。
【０００６】
また、常に蓄電器に充電が行われているので夜間の前方への点燈だけでなく後方や側面への点燈なども可能となるので、夜間の自転車と自動車との事故も減少するものと思われる。
【図面の簡単な説明】
【図１】人が自転車８に乗って速度１で走ると、その速度１と同じ速度の風２が自転車８にかかる。
【図２】自転車が走る時に発生する風２によって風車４が回転３を起こして、この回転３が発電機５を動かして電気を起こす。この発電機５によって発生した電気を蓄電器６に蓄えて照明７を点燈させる。
【符号の説明】
１  速度
２  風
３  回転
４  風車
５  発電機
６  蓄電器
７  照明
８  自転車
【図１】
2004183636.tif 000003
【図２】
2004183636.tif 000004
(57)【要約】【目的】この発明は廃品を利用することにより資源の再利用をはじめコストの低い安全性のある風力発電機の制作ができ、そのことにより住宅街により多くの風力発電機を設け、少しでも自家用発電で商用電気の消費の節約になれば環境改善に効果を上ことを目的とする。【構成】ペットボトル▲１▼を相互に円形になるように接着し円形のペットボトルの固まりを形成する。半円形のペットボトル▲４▼を風受け羽として外周に接着し、ペットボトルの風車を形成する。中心のペットボトル▲５▼のキャップと発電機▲７▼の連結に▲６▼の連結器を取りつける。ペットボトル風車と発電機を▲８▼のペットボトル風車支持金具及び▲２▼のペットボトル上部回転支持ボルトにより支持する。以上をもってペットボトルの風車を使用の風力発電機を形成することにより構成される。【選択図】      図２
2004183639.tif 000002
【特許請求の範囲】
【請求項１】
ペットボトル▲１▼を相互に円形になるように接着し円形のペットボトルの固まりを形成する。
半円形のペットボトル▲４▼を風受け羽として外周の▲９▼に接着し、ペットボトルの風車を形成する。
中心のペットボトル▲５▼のキャップと発電機▲７▼の連結に▲６▼の連結器を取りつける。ペットボトル風車と発電機を▲８▼のペットボトル風車支持金具及び▲２▼のペットボトル上部回転支持ボルトにより支持する。
以上をもってペットボトルの風車を使用の風力発電機を形成する。
【発明の詳細な説明】
【０００１  】
【産業上の利用分野】
この発明はペットボトルを特殊な加工をしないで再利用することで低いコストで風力発電機を制作することに関する。
【０００２】
【従来の技術】
従来の風力発電機は風車の形状が金属または硬い樹脂系のプロペラ型が多く角が鋭角の状態で高速に回転するために気軽に何処にでも立設ということには成らず住宅街での普及に問題点があった。
【０００３】
【発明が解決しようとする課題】
この発明は、上記した問題点を解消する風車を廃物利用により提供することを目的とする。
【０００４】
【課題を解決するための手段】
上記の目的を達成するため、この発明の風車を廃物になったペットボトルに特別な加工をせず風車を作ることでコストの低い安全な風力発電機が、形成されることを特徴とする。
【０００５】
【作用】
ペットボトル相互を円形に接着したペットボトルの固まりの外周に、半円にしたペットボトルを接着し風車とする。
この風車は軽量で柔らかいペットボトルで、できているので高速で回転していても人体に接触した場合の危険度は従来のプロペラ型より改善され容易に住宅街で立設できる。
装置の小型軽量化も低コストできることで、装置を直列又は並列につないで運用することにより風の通りの安定しない低地での発電に効果を発揮する。
【０００６】
【実施例】
図２はペットボトル▲１▼相互を接着し円形の固まりとして、その外周に▲４▼の半円形のペットボトルを▲９▼接着し風受けとし、▲２▼のペットボトル上部回転支持ボルトで軸になるペットボトルを支持することでペットボトルを使用の風車を形成する。
▲３▼のキャップを回転防止用ポルトナットで固定する。
▲５▼のペットボトルのキャップに▲６▼の連結器を固定させ、▲７▼の増速器内臓の発電機を連結させ、▲８▼のペットボトル風車支持金具により風車及び発電機を固定しペットボトルの風車を使用の風力発電機を形成する。
【０００７】
【発明の効果】
この発明は廃品を利用することにより資源の再利用をはじめコストの低い安全性のある風力発電機の制作ができ、そのことにより住宅街により多くの風力発電機を設け、少しでも自家用発電で商用電気の消費の節約になれば環境改善に効果を有する。
【図面の簡単な説明】
【図１】側面図
【図２】側面の拡大図
【図３】上面図
【図１】
2004183639.tif 000003
【図２】
2004183639.tif 000004
【図３】
2004183639.tif 000005
(57)【要約】【課題】長尺物を所望温度に容易に上昇させることが可能な方法を提供する。【解決手段】水の中の長尺物に水蒸気を吹き付けて長尺物を加熱する。【選択図】  なし【特許請求の範囲】
【請求項１】
長尺物を加熱する方法であって、
水の中の長尺物に水蒸気を吹き付けて長尺物を加熱することを特徴とする長尺物の加熱方法。
【請求項２】
請求項１に記載の長尺物の加熱方法において、
水の中に埋設された、水蒸気の膨張を抑制する手段の中で水蒸気を長尺物に吹き付けることを特徴とする長尺物の加熱方法。
【請求項３】
長尺物を加熱する装置であって、
水を貯蔵しかつ長尺物を水中に埋没させた状態で通過させることが可能な水槽と、
この水槽内の水中を通過する長尺物に向けて水蒸気を噴射する水蒸気噴射手段と、
を備えたことを特徴とする長尺物の加熱装置。
【請求項４】
請求項３に記載の長尺物の加熱装置において、
前記水槽内に、前記水蒸気噴射手段の水蒸気噴射口を包囲して水蒸気の膨張を抑制しかつ前記長尺物を貫通させることが可能な抑制手段を設けたことを特徴とする長尺物の加熱装置。
【請求項５】
請求項３または４に記載の長尺物の加熱装置において、
前記水槽は密閉構造を成しかつ水蒸気発生装置と連通することを特徴とする長尺物の加熱装置。
【請求項６】
請求項３〜５のうちいずれか１項に記載の長尺物の加熱装置において、
前記水槽の上部を水蒸気沈降槽に連通したことを特徴とする長尺物の加熱装置。
【請求項７】
請求項３〜６のうちいずれか１項に記載の長尺物の加熱装置において、
前記抑制手段は、長尺物に沿って延びる中空体であることを特徴とする長尺物の加熱装置。
【発明の詳細な説明】
【０００１】
【発明の属する技術分野】
本発明は、例えば、線材のようなの長尺物を加熱するのに好適な方法およびその装置の改良に関する。
【０００２】
【従来の技術】
従来、この種の方法の一つとして、元々は長尺物を加熱することが目的ではなかったのが、加熱された酸洗液の中を長尺物を通過させることにより、結果として長尺物が加熱されるようになったものがある（特許文献１参照）。
【０００３】
【  特許文献１  】
実開昭５７−１５０５６５号
【０００４】
【発明が解決しようとする課題】
しかし、このように加熱された、水による希釈液である酸洗液の中を長尺物を通過させることにより、長尺物を加熱する方法では、酸洗液の水分比率が高いため、酸洗液の温度が１００℃までしか上昇しない上に、酸洗液が長尺物の通過などによって熱を奪われるため、長尺物の温度の上昇には限界があり、長尺物を所望温度に上昇させることは極めて難しいなどの問題があった。
【０００５】
本発明は上記の事情に鑑みてなされたもので、その目的は、長尺物を所望温度に容易に上昇させることが可能な方法およびその装置を提供することにある。
【０００６】
【課題を解決するための手段】
上記の目的を達成するために本発明における長尺物の加熱方法は、長尺物を加熱する方法であって、水の中の長尺物に水蒸気を吹き付けて長尺物を加熱することを特徴とする。
【０００７】
なお、本発明において水蒸気とは、ボイラーやその他の水加熱装置（図示せず）によって水を１００℃以上の温度に加熱することにより生成したガス状のものである。
またなお、本発明において、水の中に埋設された、水蒸気の膨張を抑制する手段の中で水蒸気を長尺物に吹き付けると、膨張を抑制しながら高温状態で水蒸気を長尺物に吹き付けることとなるため、長尺物を効率良く加熱することが可能になる。
【０００８】
【発明の実施の形態】
本発明を適用した長尺物の加熱装置の一実施例について図１および図２に基づき詳細に説明する。本加熱装置は、水を貯蔵しかつ長尺物を水中に埋没させた状態で通過させることが可能な水槽１と、この水槽１内の水中を通過する長尺物に向けて水蒸気を噴射する水蒸気噴射手段２と、で構成してある。
【０００９】
そして、前記水槽１は、左右方向へ延びる密閉構造の有蓋箱状を成し、さらに、左右両壁の下部に不純物の排出口３・３を、蓋部に水蒸気の排出口４をそれぞれ有している。そして、排出口４は後述の水蒸気沈降室（図示せず）に連通している。また、前記水槽１の左右両壁の中央付近には、長尺物の入孔または出孔を構成しかつ適宜の温度に加熱された圧縮空気の噴出によるシール機能を備えた長尺物の入・出孔機構５・６が相対向して装着してある。
【００１０】
また、前記水蒸気噴射手段２は、水蒸気を生成する水蒸気発生装置（図示せず）と、水蒸気を噴射する水蒸気噴射口としての複数のノズル７・７とで構成してあって、複数のノズル７・７は、図１に示すように、長尺物の進行方向に対向し、さらに、図２に示すように、長尺物の中心に向かっている。
【００１１】
また、前記水槽１内における前記入・出孔機構５・６の間位置には、前記水蒸気噴射手段２のノズル７・７を包囲して水蒸気の膨張を抑制しかつ前記長尺物を貫通させることが可能な抑制手段としての円筒部材８が左右方向へ指向させて配設してある。
【００１２】
このように構成したものは、水槽１内に常温あるいは加熱された水を所要量供給した後、水蒸気噴射手段２の複数のノズル７・７から水蒸気を連続的に噴出させた状態で、加熱すべき長尺物Ｗを入孔機構５から入れ、円筒部材８内、ノズル７・７の先端が形成する空間および出孔機構６を順次通過させる。これに伴って、水は水蒸気によって加熱され、さらに、水蒸気は水および円筒部材８により速い膨張を抑制されて長尺物Ｗは高温の水蒸気を効率良く受けながら加熱される。この結果、長尺物Ｗは効率良く加熱されることとなる。
【００１３】
なお、水蒸気の吹き付けにより、長尺物Ｗは加熱と同時に不純物が剥離され、剥離された不純物を排出口３・３から排出される。また、水蒸気を断続的に噴射させる場合は、水槽１内の水の攪拌が激しくなり、長尺物Ｗの表面洗浄あるいは水槽底部等の洗浄がより効率的に行える。
【００１４】
【効果】
上記の説明から明らかなように本発明は、長尺物を加熱する方法であって、水の中の長尺物に水蒸気を吹き付けて長尺物を加熱するから、長尺物を所望温度に容易に上昇させることが可能になるなどの優れた実用的効果を奏する。
【図面の簡単な説明】
【図１】本発明の一実施例の縦断面図である。
【図２】図１のＡ−Ａ断面図である。
【符号の説明】
１    水槽
２    水蒸気噴射手段
【図１】
2004183020.tif 000002
【図２】
2004183020.tif 000003
(57)【要約】【課題】従来のＴシャツやトレーナーは、前身頃の表部分や後ろ身頃の表部分にプリントするだけであった。その為プリントされているロゴ・模様・キャラクター・マークが発信するメッセージや意味を知らないまま消費者は着用している事があった。【解決手段】Ｔシャツの表面地部分と裏面部分にもプリントをする事で見る人にメッセージを発信するだけでなく着ている人にも詳しいメッセージを受けてもらえる。Ｔシャツの表部分のプリントについてのストーリー・解説・お知らせ等を「紙芝居の表部分に絵があり美術表現をし裏側にストーリーとして文章が書かれ文学的表現をしている事を服に応用した。着用する人に深い意味を詳しく知って貰うと同時に楽んでもらう。更にブランドコンセプトも伝えられる。【選択図】図１
2004183202.tif 000002
【特許請求の範囲】
【請求項１】
Ｔシャツの表生地部分と裏生地部分にもプリントをする事で着用している姿を見る人に美術的表現やメッセージを発信するだけでなく着ている人にも文学的表現・コンセプト・表部分のデザイン説明やメッセージを伝える事が出来るＴシャツである。トレーナー・パーカーやリバーシブル仕立ての上着も同じ方法で付加価値を上げる。
【発明の詳細な説明】
【技術分野】
【０００１】前身頃の表の部分や後ろ身頃部分にプリントしたＴシャツは有るがＴシャツの裏の部分にプリントしているＴシャツは存在しない。
着脱の時に顔の前に見えるＴシャツの裏側にあたる部分を使って着用する人にメッセージを伝える機能を備えたＴシャツを発明した。
【背景技術】
【０００２】シルクスクリーンや画像を面的にアイロンプリントするなど従来の方法を活用する。【０００３】Ｔシャツの表部分のプリントのキャラクターやデザインについての説明やメーカーからのお知らせ等を紙芝居の表部分に絵があり裏側にストーリーが書かれているイメージでプリントしたり着用する人が周囲に知られないで楽しめる事が特徴である。カードゲームのキャラクターの説明をＴシャツの裏にプリントしたりゲームに限らず様々なキャラクターや表がキリスト教的プリントなら聖書や賛美歌やお祈り・仏像のプリントなら裏にお経をプリントしたり開運の印や呪文をプリントしたりする。裏部分に耳無し坊一のお経みたいに文字を沢山プリントしたりとＴシャツの裏表両面にプリントする事でＴシャツにメッセージ性や遊び心と言った新しい可能性を持たせる事を発明した。スポーツウェアなら裏面にルールを印刷出来る。
プリントするにはシルクスクリーンが表・裏共に透けない様に素材の厚みとインクの分量に注意して肌触りを損なったりしないようにする。
【発明の開示】
【発明が解決しようとする課題】
【０００４】従来のＴシャツやトレーナーは、前身頃の表部分や後ろ身頃の表部分にプリントするだけであった。その為プリントされているロゴ・模様・キャラクター・マークが発信するメッセージや意味を知らないまま消費者は着用している事があった。文学的表現を加えられなかった。
【課題を解決するための手段】
【０００５】Ｔシャツの表面地部分と裏面部分にもプリントをする事で見る人にメッセージを発信するだけでなく着ている人にも詳しいメッセージを受けてもらえる。Ｔシャツの表部分のプリントについてのストーリー・解説・お知らせ等を「紙芝居の表部分に絵があり美術表現をし裏側にストーリーとして文章が書かれ文学的表現をしている事を服に応用した。着用する人に深い意味を詳しく知って貰うと同時に楽んでもらう。更にブランドコンセプトも伝えられる。
【発明の効果】
【０００６】美術的表現・文学的表現が出来ると同時に感動を与える。
【発明を実施するための最良の形態】
【０００７】ファッションデザインとグラフィックデザインが出来る事に加えて文学的才能を持つ人が版下までは作成する。
多才なが美術表現・文学表現を行う事でオリジナリティーは高くなる。
【実施例１】
【０００８】現在のマテリアルプリント技術で実施は簡単である
【産業上の利用可能性】
【０００９】着る人は、単なる服を着る事から芸術を着る事が出来る。
ファッションデザインを総合芸術に高める事も可能である。
【図面の簡単な説明】
【００１０】
【図１】Ｔシャツ表面（通常状態）同じアイデアでトレーナーも含む
【符号の説明】
【００１１】１＝シルクスクリーン・熱転写・発砲ゴム・フロッキー・シリコン等を使ってデザインされたイラスト（絵）や写真やマーク
２＝Ｔシャツ裏面（裏がえした状態）表面で美術的表現をした物を発明の明細説明に書いたように文学的表現などで付加価値を付ける。裏にして着用してもカッコ良くする。
【図１】
2004183202.tif 000003
【手続補正書】
【提出日】平成16年3月5日(2004.3.5)
【手続補正１】
【補正対象書類名】明細書
【補正対象項目名】０００７
【補正方法】変更
【補正の内容】
【０００７】ファッションデザインとグラフイックデザインが出来る事に加えて文学的才能を持つ人が版下までは作成する。
多才な人が美術表現・文学表現を行う事でオリジナリティーは高くなる。
(57)【要約】【課題】歩道用平板ブロックにおいて、長期間にわたる透水性を確保するとともにブロック表面の温度上昇を防止する。さらに、地面側の水質浄化機能を有するようにする。【解決手段】粗骨材を用いて透水性を付与せしめたコンクリート製の歩道用ブロックの表面側には珪藻土を付着させるとともに裏面側には珪藻土と黒曜石粉又は珪藻土と黒曜石粉とゼオライト粉の混合したものを付着させ、あるいは粗骨材を用いて透水性を付与せしめたコンクリート製の歩道用ブロックにおいて、表面側は珪藻土仕上げとし裏面側は黒曜石粉入りの珪藻土仕上げ又は黒曜石粉とゼオライト粉入りの珪藻土仕上げとした。【選択図】      図１
2004183262.tif 000002
【特許請求の範囲】
【請求項１】
粗骨材を用いて透水性を付与せしめたコンクリート製の歩道用ブロックの表面側には珪藻土を付着させるとともに、裏面側には珪藻土と黒曜石粉の混合したもの又は珪藻土と黒曜石粉とゼオライト粉の混合したものを付着させたことを特徴とする歩道用平板ブロック。
【請求項２】
粗骨材を用いて透水性を付与せしめたコンクリート製の歩道用ブロックにおいて、表面側は珪藻土仕上げとし、裏面側は黒曜石粉入りの珪藻土仕上げ又は黒曜石粉とゼオライト粉入りの珪藻土仕上げとしたことを特徴とする歩道用平板ブロック。
【発明の詳細な説明】
【０００１】
【発明の属する技術分野】
この発明は、コンクリートブロック表面の温度上昇を防止するとともに、長期間にわたり透水性を確保し、さらにコンクリートブロックが接する裏面側の水質浄化機能を発揮するようにした歩道用平板ブロックに関するものである。
【０００２】
【従来の技術】
従来一般に使用されている歩道用コンクリートブロックは、セメントと骨材や砂を混合したものを適当な形状に成形している。また、ブロックを敷設した表面に降雨等により水が滞留することを防ぐために粗骨材を使用した透水性のものもある。
【０００３】
【発明が解決しようとする課題】
しかし、粗骨材を使用して透水性を付与したブロックであっても、表面にたまった土砂や埃等により目づまりしてしまう問題点があった。また、コンクリートブロックは蓄熱量が大きいため、夏期などには表面の温度が高温となり、例えば裸足での歩行等は危険な場合もある。
【０００４】
一方、コンクリートブロックの下側となる土の表面には限られた水分しか補給されず、したがってブロックの下側においてはこれらの箇所の水質が悪化し易いという問題点があった。
【０００５】
【課題を解決するための手段】
そこで、この発明にかかる歩道用平板ブロックは前記の課題を解決するために、粗骨材を用いて透水性を付与せしめたコンクリート製の歩道用ブロックの表面側には珪藻土を付着させるとともに、裏面側には珪藻土と黒曜石粉の混合したもの又は珪藻土と黒曜石粉とゼオライト粉の混合したものを付着させたものである。
【０００６】
あるいは、粗骨材を用いて透水性を付与せしめたコンクリート製の歩道用ブロックにおいて、表面側は珪藻土仕上げとし、裏面側は黒曜石粉入りの珪藻土仕上げ又は黒曜石粉とゼオライト粉入りの珪藻土仕上げとしたものである。
【０００７】
【作用】
ブロック表面に珪藻土を塗布すると、珪藻土の作用によりコンクリートの蓄熱が抑えられ、場合によってはコンクリートだけのものに比べ表面温度を１０数度下げることができる。さらに表面側と裏面側の珪藻土によって水蒸気の蒸散作用が高まり表面温度を下げることができる。
【０００８】
すなわち、一旦土中のなかに浸透した水は裏面側の珪藻土層に水の状態、或いは水蒸気の状態で再吸収され、ブロック本体の中を通って、表面側の珪藻土層に吸収され、気化熱を奪いながら表面より放出されることになり、土中の水分が昼夜を問わず放散することにより、ブロックの表面温度が下がることになる。
【０００９】
また、珪藻土の微細孔による透水効果により、長期間にわたり透水性を確保でき、更に裏面側の地面の水質を浄化する。
【００１０】
一方、枯草菌等のバチルス菌育成のための材料、例えば黒曜石粉等を裏面側に珪藻土とともに塗布しておくと、ブロック裏面が地面と接触することにより常時水分が補給され、枯草菌が培養され水質浄化作用を発揮することになる。更に、ゼオライトはイオン置換して直接水質を浄化する機能を発揮する。
【００１１】
【発明の実施の形態】
次に、この発明に係る歩道用平板ブロックの一実施例を図に基づいて説明すると、１はブロック本体であり、２はブロック本体１の表面側であり３はブロック本体１の裏面側である。なお、ブロック本体１は基本的には平板形状とするが、歩道用のものであれば、各種形状のものに適用可能である。
【００１２】
ブロック本体１は粗骨材を用いて透水性を付与せしめて平板状に成形してある。表面側２には珪藻土を付着させてある。付着方法としてはブロック本体１の成形後に珪藻土を塗布するか、あるいはブロック本体１の成形時にこの表面側となる部分も上記の材料によって同時に仕上がるようにしておいてもよい。なお、表面側２は１００％珪藻土のみが露出している場合だけでなく、珪藻土に混じって他の骨材などが表面に露出していてもよい。
【００１３】
裏面側３には黒曜石粉入りの珪藻土を付着させてある。付着方法としてはブロック本体１の成形後に黒曜石粉入りの珪藻土を塗布すればよい。あるいはブロック本体１の成形時にこの裏面側となる部分も上記の材料によって同時に仕上がるようにしておいてもよい。また、裏面側３には珪藻土に黒曜石粉とゼオライト粉を加えたものを使用してもよい。
【００１４】
黒曜石粉は水の浄化作用を有する枯草菌等（バチルス菌）の培養に役立たせるために必要なものであり、ゼオライトはイオン置換により水質を直接浄化する作用がある。なお、同様の機能を有するものであれば黒曜石粉やゼオライト粉以外のものであってもよい。
【００１５】
すなわち、表面側１と裏面側２はブロック本体１の成形後に別途塗布等により付着させてもよく、あるいはブロック本体１の成形時に表面側１と裏面側２が所定の材料によって仕上がるようにしてもよい。
【００１６】
【発明の効果】
前記のようにに、この発明にかかる歩道用平板ブロックによれば、粗骨材を用いて透水性を付与せしめたコンクリート製の歩道用ブロックの表面側には珪藻土を付着させるとともに裏面側には珪藻土と黒曜石粉又はこれにゼオライト粉を加えて混合したものを付着させ、あるいは粗骨材を用いて透水性を付与せしめたコンクリート製の歩道用ブロックにおいて、表面側は硬い骨材入りの珪藻土仕上げとし裏面側は黒曜石粉入りの珪藻土仕上げ又は黒曜石粉とゼオライト粉入りの珪藻土仕上げとしたので、ブロック表面の温度を下げるとともに長期間にわたり透水性を確保でき、さらにブロック裏面側の地面の水質浄化に役立つ効果を有する。
【図面の簡単な説明】
【図１】この発明に係る歩道用平板ブロックの一実施例を示す側面図である。
【符号の説明】
１  ブロック本体
２  表面側
３  裏面側
【図１】
2004183262.tif 000003